(57)【要約】【課題】第１のケーブルが電子機器に接続され、且つ、第２のケーブルが該電子機器に接続されているかを判定するためのケーブルを提案することを目的とする。【解決手段】電子機器間を接続するケーブルであって、電子機器に接続される第１コネクタを一端に有する第１ケーブルと、前記第１コネクタが接続される電子機器に接続される第２コネクタを一端に有する第２ケーブルと、前記第１ケーブルに含まれる第１導線と、該第１導線に一端が接続され、他端が前記第２コネクタに設けられた第２導線と、を有することを特徴とするケーブル。【選択図】図１
2012138274.tif 000002
【特許請求の範囲】
【請求項１】
電子機器間を接続するケーブルであって、
電子機器に接続される第１コネクタを一端に有する第１ケーブルと、
前記第１コネクタが接続される電子機器に接続される第２コネクタを一端に有する第２  ケーブルと、
前記第１ケーブルに含まれる第１導線と、
該第１導線に一端が接続され、他端が前記第２コネクタに設けられた第２導線と、
を有することを特徴とするケーブル。
【請求項２】
前記第１ケーブルは、デジタル通信を行うためのケーブルであり、前記第２ケーブルは、アナログ通信を行うためのケーブルであることを特徴とする請求項１に記載のケーブル。
【請求項３】
前記第１導線は、電力供給を行うための電力線であることを特徴とする請求項１又は請求項２に記載のケーブル。
【請求項４】
前記第２導線上に抵抗が設けられることを特徴とする請求項３に記載のケーブル。
【請求項５】
請求項１〜４の何れか１項に記載のケーブルを介して外部機器と接続される電子機器において、
前記電子機器は、前記第２導線の他端からの出力に応じた処理を行う制御部を備えたことを特徴とする電子機器。
【請求項６】
前記制御部は、前記第１ケーブルを介して外部機器から取得する外部機器の識別情報に基づき、該外部機器が第２ケーブルを介するデータを出力する外部機器か否かを判定し、該外部機器が第２ケーブルを介するデータを出力する外部機器である場合に、前記第２導線の他端からの出力に応じた処理を行うことを特徴とする請求項５に記載の電子機器。
【請求項７】
前記電子機器は、表示部を備え、
前記第２導線の他端からの出力に応じて、前記外部機器から前記第２ケーブルを介して取得するデータのリストを表示するためのアイコンの表示様態を変更することを特徴とする請求項５又は請求項６に記載の電子機器。
【請求項８】
前記電子機器は、入力部と、表示部を備え、
前記制御部は、前記第１ケーブルが正常に接続されている場合に、前記入力部を介して前記外部機器を示すアイコンが選択された場合、前記第２導線の他端からの出力に応じて、前記表示部に表示する前記外部機器から出力されるデータのリストを変更することを特徴とする請求項５又は請求項６に記載の電子機器。
【発明の詳細な説明】
【技術分野】
【０００１】
本発明は、電子機器及び電子機器間を接続するケーブルに関する。
【背景技術】
【０００２】
近年、車載用オーディオ装置やナビゲーション装置などの電子機器は、音楽データを記憶・再生する音楽再生装置（電子機器）とケーブルを介して接続され、音楽再生装置に記憶された音楽データ、又は、音楽再生装置に挿入されたＣＤ等の記憶媒体に記憶された音楽データを再生して、車載用オーディオ装置などが有するスピーカ、又は、車載用オーディオ装置が搭載された車内のスピーカから音楽を出力している。なお、以下では、車載用オーディオ装置やナビゲーション装置などの電子機器を主体として説明を行うため該電子機器にケーブルを介して接続される音楽再生装置などの電子機器を外部機器として説明を行う。
【０００３】
ところで、このような音楽再生装置（外部機器）としては、例えば、ｉＰｏｄ（登録商標）などが考えられ、車載用オーディオ装置やナビゲーション装置などの電子機器とｉＰｏｄ（登録商標）などの音楽再生装置とを接続するケーブルには、ＵＳＢケーブルなどのシリアル通信を行うためのケーブルが考えられる。
【０００４】
ここで、車載用オーディオ装置やナビゲーション装置などの電子機器とケーブルを介して接続される音楽再生装置がｉＰｏｄ（登録商標）である場合、音楽データのみならず、映像データ（静止画・動画）を記憶・再生することが可能である。
【０００５】
しかしながら、ｉＰｏｄ（登録商標）は、映像データを電子機器（例えば、車載用オーディオ装置などの電子機器）へケーブルを介して出力する場合、シリアル通信などのデジタル通信ではなく、ｉＰｏｄ（登録商標）で再生（Ｄ／Ａ変換等）した映像データ（アナログ）を出力する。
【０００６】
そのため、車載用オーディオ装置などの電子機器にて、ｉＰｏｄ（登録商標）に記憶された映像データに基づく映像を表示する場合、上記のシリアル通信のためのＵＳＢケーブルのみならず、ｉＰｏｄ（登録商標）よりアナログ出力される映像データ（及び／又は音楽データ）を伝送するためのアナログ通信ケーブル（例えば、ＲＣＡケーブルなど）が必要となる。
【０００７】
上記のように、デジタル通信を行うためのＵＳＢケーブルと、アナログ通信を行うためのＲＣＡケーブルとを一体的に構成したケーブルとして下記の非特許文献１に開示されるケーブルが知られている。このケーブルにより、デジタル通信およびアナログ通信が可能となる。特に、デジタル通信を行うためのケーブルをＵＳＢ（Ｕｎｉｖｅｒｓａｌ  Ｓｅｒｉａｌ  Ｂｕｓ）で構成しているため、デジタル通信を高速で行うことが可能となる。
【０００８】
なお、下記の特許文献１（特開２００９−２５２２５０号公報）には、映像データを含む１以上のコンテンツを再生すべき旨の入力を受け付けていない場合、すなわち、楽曲データのみを再生すべき旨の入力を受け付けた場合、楽曲データのデジタル外部出力要求をコンテンツ記憶装置へ行い、映像データを含む１以上のコンテンツを再生すべき旨の入力を受け付けた場合、映像データのアナログ外部出力要求（又は楽曲映像データのアナログ外部出力要求）をコンテンツ記憶装置へ行うコンテンツ再生装置が開示されている。
【０００９】
これにより、映像データ（アナログ）と楽曲データ（デジタル）を続けて再生する場合において、デジタルとアナログとの処理の切り替えを行うことにより後から再生するデータの頭部分が再生されないという問題を解決している。
【００１０】
また、下記の特許文献２（特開２００７−１０３０９１号公報）には、パーソナルコンピュータと携帯電話機とを接続し、データ通信のためのデータ線及び電力供給線を含む接続ケーブル（ＵＳＢケーブル）において、前記電力供給線に保護素子（過電圧保護素子・過電流保護素子）を挿入することにより、パーソナルコンピュータから携帯電話機へ電力供給を行う際に、過電圧や過電流によって携帯電話機を損傷させることを防止している。
【先行技術文献】
【特許文献】
【００１１】
【特許文献１】特開２００９−２５２２５０号公報
【特許文献２】特開２００７−１０３０９１号公報
【非特許文献】
【００１２】
【非特許文献１】http://www.clarion.com/jp/ja/products/2010/navigation/accessories/ipod/CCA      -750-500/jp-ja-product-pf#1259421222715.html
【発明の概要】
【発明が解決しようとする課題】
【００１３】
しかしながら、上記特許文献１に開示されるように、外部機器（コンテンツ記憶装置）からアナログ出力されるデータ（映像データ）とデジタル出力されるデータ（音楽データ）の両方を車載用オーディオ装置などの電子機器が取得するためには、上記非特許文献１に開示されるようなケーブルが正常に接続されていなければならない。
【００１４】
すなわち、例えば、デジタル通信を行うためのケーブルであるＵＳＢケーブルが正常にｉＰｏｄ（登録商標）および車載用オーディオ装置に接続されていても、アナログ通信を行うためのケーブル（例えば、ＲＣＡケーブルなど）が正常にｉＰｏｄ（登録商標）および車載用オーディオ装置に接続されていなければ、アナログ通信を行うことはできない。
【００１５】
このようにアナログ通信を行うことができない場合であれば、デジタル通信を行うためのケーブルを介して映像データのアナログ出力指示を行っても、ｉＰｏｄ（登録商標）から車載用オーディオ装置が映像データ（アナログ）を取得することができない。そのため、例えば、ユーザからアナログ通信を必要とする映像データの表示要求を受け付けないなどの処理を行うことが好ましい。
【００１６】
そこで、本願出願人は、特願２０１０−２８９２３１にて、外部機器（ｉＰｏｄ（登録商標）など）と第１の（デジタル通信を行うための）ケーブルおよび第２の（アナログ通信を行うための）ケーブルを介して接続される車載用オーディオ装置やナビゲーション装置などの電子機器において、第１の（デジタル通信を行うための）ケーブルおよび第２の（アナログ通信を行うための）ケーブルが正常に接続されているか否かを判定し、判定結果に応じた処理を行う電子機器を提案している。
【００１７】
これにより、アナログ通信を行うことができない場合（アナログ通信を行うための第２のケーブルが正常に接続されていない場合）であれば、例えば、アナログ通信を必要とする映像データのリストを表示しなくすることで、映像データの再生を受け付けないなどの処理を行うことを可能としている。
【００１８】
ところで、上記特願２０１０−２８９２３１において、第１の（デジタル通信を行うための）ケーブルが正常に接続されているか否かの判定は、第１のケーブルが接続された際に外部機器から出力される応答信号に基づいて判定し、第２の（アナログ通信を行うための）ケーブルが正常に接続されているか否かの判定は、第２のケーブル内の短絡線が短絡しているか否かに基づいて判定している。
【００１９】
また、第１の（デジタル通信を行うための）ケーブルが正常に接続されると、デジタル通信を行い、外部機器から送信される識別情報に基づき、外部機器の種別を識別し、外部機器の種別がｉＰｏｄ（登録商標）（すなわち、第２のケーブルを介する映像データ（アナログ）を出力する電子機器）か否かを判定し、ｉＰｏｄ（登録商標）である場合に、第２のケーブルが正常に接続されているか否かを判定している。
【００２０】
上記のような方法を用いて判定した場合、ユーザにより図７に示すような接続方法がなされると、デジタル通信を行うためのＵＳＢケーブル３’を介してナビゲーション装置１（電子機器の例示）に接続されるｉＰｏｄ（登録商標）２’（外部機器の例示）に、アナログ通信を行うためのアナログケーブル４が接続されていないにも関わらず、ナビゲーション装置１は、アナログ通信を行うためのケーブル４を介してアナログ出力される映像データなどを取得できる状態、すなわち、デジタル通信を行うためのＵＳＢケーブル３’及びアナログ通信を行うためのアナログケーブル４が正常に接続されていると判定してしまう。
【００２１】
そのため、ナビゲーション装置１は、例えば、アナログ通信を行うためのアナログケーブル４を介する映像データ（アナログ）のリストを表示してしまい、ユーザによって、ある映像データの再生指示がなされると、ナビゲーション装置１は、デジタル通信を行うためのＵＳＢケーブル３’を介してｉＰｏｄ（登録商標）２’へ当該映像データをアナログ出力するように指示（操作信号を出力）してしまう。しかしながら、ｉＰｏｄ（登録商標）２’には、アナログ通信を行うためのアナログケーブル４が接続されていないため、ナビゲーション装置１がアナログ通信を行うためのアナログケーブル４を介して当該映像データを取得することができないという問題が発生する。
【００２２】
より詳細に説明を行うと、ユーザによって、デジタル通信を行うためのＵＳＢケーブル３’などを介してナビゲーション装置１とｉＰｏｄ（登録商標）２’が接続されると、ナビゲーション装置１は、ｉＰｏｄ（登録商標）２’から出力される応答信号に基づいて、デジタル通信を行うためのＵＳＢケーブル３’が正常に接続されたと判定し、また、ｉＰｏｄ（登録商標）２’の識別情報に基づき、接続されたＵＳＢ通信機器はｉＰｏｄ（登録商標）であると判定し、さらに、ナビゲーション装置１は、アナログ通信を行うためのアナログケーブル４内の短絡線が短絡しているか否か（アナログ通信を行うためのケーブル４内の短絡線はｉＰｏｄ（登録商標）のＧＮＤ端子に対応しているため、アナログ通信を行うためのケーブル４がｉＰｏｄ（登録商標）に接続されると短絡線が短絡する）を判定する。
【００２３】
ここで、図７では、デジタル通信を行うためのＵＳＢケーブル３及びアナログ通信を行うためのアナログケーブル４からなる通信ケーブル６がナビゲーション装置１とｉＰｏｄ（登録商標）２に接続されている（但し、デジタル通信を行うためのＵＳＢケーブル３の一端（コネクタ３Ａ）は未接続）。そのため、ナビゲーション装置１は、アナログ通信を行うためのアナログケーブル４内の短絡線が短絡しているので、アナログ通信を行うためのアナログケーブル４も正常に接続されていると判定する。
【００２４】
すなわち、上記方法では、他のＵＳＢケーブル３’ではなくＵＳＢケーブル３及びアナログケーブル４（通信ケーブル６）がナビゲーション装置１に接続されているか否かを判定することができないため上記の問題が発生してしまう。
【００２５】
そのため、本願発明では、電子機器間を接続するケーブルであって、電子機器に接続される第１コネクタを一端に有する第１ケーブルと、第１コネクタが接続される電子機器に接続される第２コネクタを一端に有する第２ケーブルと、第１ケーブルに含まれる第１導線と、該第１導線に一端が接続され、他端が前記第２コネクタに設けられた第２導線と、を有するケーブルを提案することを目的とする。
【００２６】
また、本願発明では、当該ケーブルを用いて第１のケーブルおよび第２のケーブルが正常に接続されているか否か、すなわち、第１のケーブルが電子機器に接続され、且つ、第２のケーブルが該電子機器に接続されているかを判定し、判定結果に応じた処理をする電子機器を提案することを目的とする。
【課題を解決するための手段】
【００２７】
前記課題を解決するために、本願の請求項１にかかる発明は、電子機器間を接続するケーブルであって、電子機器に接続される第１コネクタを一端に有する第１ケーブルと、前記第１コネクタが接続される電子機器に接続される第２コネクタを一端に有する第２ケーブルと、前記第１ケーブルに含まれる第１導線と、該第１導線に一端が接続され、他端が前記第２コネクタに設けられた第２導線と、を有することを特徴とする。
【００２８】
これにより、例えば、第１導線にかかる電圧が第１導線に接続された第２導線にもかかることになる。
【００２９】
さらに、本願発明では、前記第１ケーブルは、デジタル通信を行うためのケーブルであり、前記第２ケーブルは、アナログ通信を行うためのケーブルであることが好ましい。
【００３０】
さらに、本願発明では、前記第１導線は、電力供給を行うための電力線であることを特徴とする。
【００３１】
これにより、電力線（第１導線）にかかる電圧が該電力線に接続された第２導線にもかかることになる。
【００３２】
さらに、本願発明では、前記第２導線上に抵抗が設けられることを特徴とする。
【００３３】
これにより、第２導線に流れる電流を小さくすることができる。
【００３４】
さらに、本願発明では、請求項１〜４の何れか１項に記載のケーブルを介して外部機器と接続される電子機器において、前記電子機器は、前記第２導線の他端からの出力に応じた処理を行う制御部を備えたことを特徴とする。
【００３５】
これにより、例えば、第２導線の他端から電圧が検出されたか否かに基づいて、第１のケーブルが電子機器に接続され、且つ、第２のケーブルが該電子機器に接続されているかを判定することができ、この判定結果に基づいた処理を行うことができる。
【００３６】
さらに、本願発明では、前記制御部は、前記第１ケーブルを介して外部機器から取得する外部機器の識別情報に基づき、該外部機器が第２ケーブルを介するデータを出力する外部機器か否かを判定し、該外部機器が第２ケーブルを介するデータを出力する外部機器である場合に、前記第２導線の他端からの出力に応じた処理を行うことを特徴とする。
【００３７】
これにより、第２のケーブルを介するデータを出力する外部機器が接続された場合にのみ第２導線の他端からの出力に応じた処理を行うことができる。
【００３８】
さらに、本願発明の電子機器は、表示部を備え、前記第２導線の他端からの出力に応じて、前記外部機器から前記第２ケーブルを介して取得するデータのリストを表示するためのアイコンの表示様態を変更することを特徴とする。
【００３９】
これにより、アイコンの表示様態を視認するだけで、第２のケーブルを介してデータを取得できるか否かを認識できる。
【００４０】
さらに、本願発明の電子機器は、入力部と、表示部を備え、前記制御部は、前記第１ケーブルが正常に接続されている場合に、前記入力部を介して前記外部機器を示すアイコンが選択された場合、前記第２導線の他端からの出力に応じて、前記表示部に表示する前記外部機器から出力されるデータのリストを変更することを特徴とする。
【００４１】
これにより、外部機器を示すアイコンを選択した場合に、例えば、第２導線の他端から電圧が検出できれば、外部機器から第２のケーブルを介して取得するデータのリストをユーザが視認でき、また、電圧が検出できなければ、外部機器から第２のケーブルを介して取得するデータのリストをユーザが視認できないようにすることが可能となる。
【発明の効果】
【００４２】
本願発明では、電子機器間を接続するケーブルであって、電子機器に接続される第１コネクタを一端に有する第１ケーブルと、第１コネクタが接続される電子機器に接続される第２コネクタを一端に有する第２ケーブルと、前記第１ケーブルに含まれる第１導線と、該第１導線に一端が接続され、他端が前記第２コネクタに設けられた第２導線と、を有することにより、例えば、該第１のケーブルに含まれる第１導線にかかる電圧が該第２導線にかかることになる。そのため、該第２導線に電圧がかかっているかを判定することで、第１ケーブルが電子機器に接続され、且つ、第２ケーブルが該電子機器に接続されているかを判定することができる。
【図面の簡単な説明】
【００４３】
【図１】本発明の実施例にかかる全体像の模式図である。
【図２】本発明の実施例にかかる各装置のブロック図である。
【図３】本発明の実施例にかかるナビゲーション装置の制御部が行う通信ケーブルの接続状態を検出する制御動作を示すフローチャートである。
【図４】本発明の実施例にかかるナビゲーション装置の制御部が行う通信ケーブルの接続状態に応じた制御動作を示すフローチャートである。
【図５】本発明の実施例にかかるナビゲーション装置の表示部に表示されるメニュー画面及びオプション画面の模式図である。
【図６】本発明の実施例にかかる通信ケーブルの模式図である。
【図７】本発明の実施例にかかる全体像の模式図である。
【図８】本発明の他の実施例にかかる通信ケーブルの模式図である。
【図９】本発明の他の実施例にかかる通信ケーブルの模式図である。
【図１０】本発明の他の実施例にかかる通信ケーブルの模式図である。
【発明を実施するための形態】
【００４４】
以下、本発明の具体例を実施例及び図面を用いて詳細に説明する。なお、以下に示す実施例においては、本発明のケーブルが接続される第１の電子機器の一例としてナビゲーション装置を例示し、第２の電子機器（外部機器）の一例としてｉＰｏｄ（登録商標）を例示するが、本願発明は、この実施例に限ることなく、請求の範囲に含まれるその他の装置にも適用可能である。
【実施例】
【００４５】
まず、図１の全体像の模式図を参照して説明を行う。第１の電子機器であるナビゲーション装置１は、本発明の通信ケーブル６および、ＵＳＢ延長ケーブル５を介して第２の電子機器（外部機器）であるｉＰｏｄ（登録商標）２に接続される。ここで、通信ケーブル６は、デジタル通信のためのＵＳＢケーブル３とアナログ通信のためのアナログケーブル４とから構成される。
【００４６】
本実施例においては、デジタル通信のためのＵＳＢケーブル３とアナログ通信のためのアナログケーブル４は、ナビゲーション装置１側では夫々別のコネクタ（３Ａ、４Ａ）で構成され、ｉＰｏｄ（登録商標）２側では、ＵＳＢケーブル３とアナログケーブル４とが一体となったコネクタ６Ａで構成されている。
【００４７】
夫々別のコネクタ（３Ａ、４Ａ）で構成されたＵＳＢケーブル３とアナログケーブル４がナビゲーション装置１に接続され、且つ、一体となったコネクタ６Ａで構成されたＵＳＢケーブル３とアナログケーブル４がｉＰｏｄ（登録商標）２に接続されることで、ナビゲーション装置１がｉＰｏｄ（登録商標）２に記憶された映像データを取得することが可能となる。
【００４８】
なお、本実施例では、ナビゲーション装置１にＵＳＢ延長ケーブル５が接続され、ＵＳＢ延長ケーブル５のもう一端にＵＳＢケーブル３（コネクタ３Ａ）が接続されることにより、ナビゲーション装置１とＵＳＢケーブル３が接続されるが、これは、後述するデジタル入出力部１５（ＵＳＢポート）がナビゲーション装置１の背面に設けられた場合を想定したものであるため、これに限ることはなく、デジタル入出力部１５がナビゲーション装置１の前面にある場合などは、ＵＳＢ延長ケーブル５を用いることなく、ナビゲーション装置１にＵＳＢケーブル３（コネクタ３Ａ）を直接接続してもよい。
【００４９】
また、本実施例では、アナログ通信を行うためのアナログケーブル４と記載を行うが、アナログ通信とは、ナビゲーション装置１とｉＰｏｄ（登録商標）２の双方向のアナログ通信ではなく、ｉＰｏｄ（登録商標）２から出力される映像データなどをナビゲーション装置１へ伝送する一方向のアナログ通信であればよい。
【００５０】
上記説明した通り、図１に示すように通信ケーブル６（ＵＳＢケーブル３及びアナログケーブル４）を介してナビゲーション装置１とｉＰｏｄ（登録商標）２が接続されればよいが、図７に示すように、ＵＳＢケーブル３（コネクタ３Ａ）を接続せず、他のＵＳＢケーブル３’を介して他のｉＰｏｄ（登録商標）２’が接続される場合には、ナビゲーション装置１がｉＰｏｄ（登録商標）２’に記憶された映像データをアナログケーブル４を介して取得することができない。
【００５１】
そのため、ＵＳＢケーブル３及びアナログケーブル４がナビゲーション装置１及びｉＰｏｄ（登録商標）２に接続されているか否かを検出することが必要である。
【００５２】
次に、図２のブロック図を用いて、図１に示した各装置および各ケーブルの詳細な説明を行う。まず、ナビゲーション装置１の説明を行う。
【００５３】
ナビゲーション装置１は、制御部１０、音声出力部１１、表示部１２、入力部１３、アナログ入力部１４、デジタル入出力部１５を備えて構成される。
【００５４】
制御部１０は、ＣＰＵ、ＲＯＭ、ＲＡＭ（いずれも図示せず）からなるプロセッサで構成され、ＲＯＭ、ＲＡＭに記録された制御プログラムに従ってナビゲーション装置１の各部の動作を制御・統括するものである。また、制御部１０は、地図情報記憶部（図示せず）に記憶された地図情報（ノードデータ、リンクデータなど）に基づき、ユーザが入力部１３を介して指定した目的地までの最適な経路を探索する。経路探索は、出発地またはＧＰＳ受信機などから構成される現在位置検出部（図示せず）により検出された現在位置に対応する道路のノードから、目的地に対応するノードに至る間のリンクをダイクストラ法等の手法によって探索し、リンク長（リンクコスト）や所要時間を累積し、総リンク長（走行距離）または総所要時間が最短となる経路を探索する。
【００５５】
音声出力部１１は、経路案内に必要な音声ガイダンスや、その他、ナビゲーション装置１の操作に必要な音声、警告等のブザー音等を出力するスピーカなどで構成される。音声出力部１１は、上記の音声などの他に、ｉＰｏｄ（登録商標）２から取得された音楽データに基づく音声出力を行う。なお、音声出力部１１が、スピーカを備えなくとも、ナビゲーション装置１が設けられる車両に備えられたスピーカを介して音声出力するものであってもよい。
【００５６】
表示部１２は、地図情報に基づく地図画像や制御部１０により探索された経路の画像、現在位置を示す現在位置マーク等を表示し、また入力部１３による入力作業のためのメニュー画面やオプション画面などを表示するものであり、例えば、液晶パネルによって構成される。また、表示部１２は、ｉＰｏｄ（登録商標）２から取得された映像データに基づく表示を行う（静止画や動画を表示する）。なお、表示部１２は、タッチパネルとすることで、入力部１３の機能を持たせることもできる。
【００５７】
入力部１３は、ユーザによって操作され、出発地、目的地、経由地等の経路探索条件を入力するためのものである。また、入力部１３は、ｉＰｏｄ（登録商標）２に記憶された音楽データや映像データのうち、再生したいデータ（聞きたい曲、見たい映像）を選択するためのものである。入力部１３は、上記のタッチパネル以外にも、ナビゲーション装置１に設けられたハードキーで構成されてもよいし、リモコンなどで構成されてもよい。
【００５８】
アナログ入力部１４は、ｉＰｏｄ（登録商標）２からアナログ出力される映像データ及び／又は音楽データを受信する通信インターフェースである。アナログ入力部１４には、アナログケーブル４のコネクタ４Ａが接続され、ｉＰｏｄ（登録商標）２からアナログケーブル４を介して出力される映像データ及び／音楽データ（共にアナログ）を受信する。
【００５９】
デジタル入出力部１５は、ｉＰｏｄ（登録商標）２とデジタル通信を行うための通信インターフェースである。本実施例では、ＵＳＢポートなどで構成される。デジタル入出力部１５には、ＵＳＢ延長ケーブル５が接続され、ＵＳＢ延長ケーブル５の他方の一端にＵＳＢケーブル３のコネクタ３Ａが接続され、且つ、ＵＳＢケーブル３の一端（コネクタ６Ａ）がｉＰｏｄ（登録商標）２に接続されることにより、デジタル通信（ＵＳＢ通信）が行われ、ｉＰｏｄ（登録商標）２から音楽データ（デジタル）を受信可能となる。なお、上記のとおり、ＵＳＢ延長ケーブル５を用いることなく、ＵＳＢケーブル３のコネクタ３Ａがデジタル入出力部１５に接続されてもよい。
【００６０】
次に、ｉＰｏｄ（登録商標）２の説明を行う。ｉＰｏｄ（登録商標）２は、制御部２０、音声出力部２１、表示部２２、入力部２３、アナログ出力部２４、デジタル入出力部２５、映像／音楽データ記憶部２６を備えて構成される。
【００６１】
制御部２０は、ＣＰＵ、ＲＯＭ、ＲＡＭ（いずれも図示せず）からなるプロセッサで構成され、ＲＯＭ、ＲＡＭに記録された制御プログラムに従ってｉＰｏｄ（登録商標）２の各部の動作を制御・統括するものである。
【００６２】
音声出力部２１は、映像／音楽データ記憶部２６に記憶された音楽データに基づく音声を出力するヘッドホン端子などで構成される。なお、音声出力部２１はスピーカを備え、スピーカを介して音声出力するものであってもよい。
【００６３】
表示部２２は、入力部２３による入力作業のための画面を表示するものであり、例えば、液晶パネルによって構成される。また、表示部２２は、映像／音楽データ記憶部２６に記憶された映像データに基づく表示を行う（静止画や動画を表示する）。なお、表示部２２は、タッチパネルとすることで、入力部２３の機能を持たせることもできる。
【００６４】
入力部２３は、ユーザによって操作され、映像／音楽データ記憶部２６に記憶された音楽データや映像データのうち、再生したいデータ（聞きたい曲、見たい映像）を選択するためのものである。入力部２３は、上記のタッチパネル以外にも、ｉＰｏｄ（登録商標）２に設けられたハードキーで構成されてもよいし、リモコンなどで構成されてもよい。
【００６５】
アナログ出力部２４は、映像／音楽データ記憶部２６から読み出され、制御部２０によってアナログ変換された映像データ及び／又は音楽データをナビゲーション装置１へ出力する通信インターフェースである。アナログ出力部２４には、アナログケーブル４（コネクタ６Ａ）が接続され、アナログケーブル４を介して映像データ及び／又は音楽データ（共にアナログ）をナビゲーション装置１へ出力する。
【００６６】
デジタル入出力部２５は、ナビゲーション装置１とデジタル通信を行うための通信インターフェースである。デジタル入出力部２５には、ＵＳＢケーブル３（コネクタ６Ａ）が接続され、ＵＳＢケーブル３の他方の一端（コネクタ３Ａ）にＵＳＢ延長ケーブル５が接続され、且つ、ＵＳＢ延長ケーブル５の一端がナビゲーション装置１に接続されることにより、デジタル通信（ＵＳＢ通信）が行われ、ナビゲーション装置１へ音楽データ（デジタル）を出力することが可能となる。
【００６７】
なお、本実施例では、通信ケーブル６のコネクタがｉＰｏｄ（登録商標）２側ではＵＳＢケーブル３とアナログケーブル４とが一体となったコネクタ６Ａで構成されているため、アナログ出力部２４及びデジタル入出力部２５も一体となったコネクタで構成されている。
【００６８】
映像／音楽データ記憶部２６は、映像データ及び／又は音楽データを記憶するための記憶媒体であり、例えば、半導体メモリなどで構成される。また、映像／音楽データ記憶部２６は、プレイリストも記憶する。プレイリストには、映像プレイリストと、音楽プレイリストの２種類のリストが存在する。映像プレイリストは、映像データのみ、及び／又は映像データと当該映像データに対応付けられた音楽データから構成される。音楽プレイリストは音楽データのみで構成される。なお、音楽プレイリストには、映像データに対応付けられた音楽データを含んでもよい。
【００６９】
なお、本実施例では、ｉＰｏｄ（登録商標）２’もこのｉＰｏｄ（登録商標）２と同様の構成として説明を行う。
【００７０】
次に、各ケーブルの説明を行う。まず、ＵＳＢケーブル３は、電力線（Ｖ）、通信線（Ｄ＋）、通信線（Ｄ−）、ＧＮＤ線で構成され、ｉＰｏｄ（登録商標）２は、ナビゲーション装置１から電力線（Ｖ）を介して電力供給を受け、通信線（Ｄ＋）及び通信線（Ｄ−）を用いてデジタル通信を行う。なお、ＵＳＢ延長ケーブル５、他のＵＳＢケーブル３’も同様の構成である。
【００７１】
アナログケーブル４は、ステレオの左右のアナログ音楽データを伝送するためのアナログ音声信号線（音Ｌ、音Ｒ）と、アナログ映像データを伝送するためのコンポジット映像信号線（アナログ映像信号線）（ｖｉｄｅｏ）と、ＧＮＤ線から構成される。このＧＮＤ線はアナログケーブル４に含まなくても良いが、含むことにより他の線（例えば、アナログ音声信号線音Ｌとアナログ映像信号線（ｖｉｄｅｏ））の干渉を防止することができる。
【００７２】
なお、本実施例においては、アナログケーブル４のコネクタ４Ａには、上記の４つの線（２本のアナログ音声信号線、アナログ映像信号線、ＧＮＤ線）以外に、さらに電力線（Ｖ）が設けられる。この電力線（Ｖ）は、アナログケーブル４を用いてアナログ入力部１４に接続される外部機器（ｉＰｏｄ（登録商標）２）と、ＵＳＢケーブル３などを用いてデジタル入出力部１５に接続される外部機器（ｉＰｏｄ（登録商標）２）が同一か否かの判定を行う際に用いられる。すなわち、ＵＳＢケーブル３が（ＵＳＢ延長ケーブル５を介して）ナビゲーション装置１に接続され、且つ、アナログケーブル４（コネクタ４Ａ）がナビゲーション装置１に接続されているかを判定する際に用いられる。
【００７３】
なお、本実施例においては、電力線や通信線などと説明を行うが、この電力線や通信線などの導線には、コネクタ（３Ａ、４Ａ、６Ａ）の基板上の導電パターンやピン（端子）も含まれるものとして説明を行う。
【００７４】
すなわち、アナログケーブル４のコネクタ４Ａに電力線（Ｖ）６８が設けられるとは、
電力線（Ｖ）６８がコネクタ４Ａの基板上の導電パターン（電力線（Ｖ）６８）に接続され、この導電パターンを介してコネクタ４Ａのピン（端子）（電力線（Ｖ）６８）から、電力線（Ｖ）６８にかかる電圧や電流を出力できる状態である。本実施例では、このコネクタ４Ａの基板上の導電パターンやピン（端子）を含めて電力線（Ｖ）６８として説明を行うため、コネクタ４Ａのピン（端子）から電圧や電流を出力することを「電力線（Ｖ）６８から電圧や電流が出力する」として説明を行う。
【００７５】
ここで、図６を用いて通信ケーブル６についての詳細な説明を行う。
【００７６】
上記の通り、ＵＳＢケーブル３は、電力線（Ｖ）６０、通信線（Ｄ＋）６１、通信線（Ｄ−）６２、ＧＮＤ線６３で構成され、アナログケーブル４は、アナログ音声信号線（音Ｌ、音Ｒ）６４、６５、コンポジット映像信号線（アナログ映像信号線）（ｖｉｄｅｏ）６６、ＧＮＤ線６７から構成され、さらに、アナログケーブル４のコネクタ４Ａには電力線（Ｖ）６８が設けられている。
【００７７】
ここで、図６に示すように、ＵＳＢケーブル３内の電力線（Ｖ）６０と、アナログケーブル４のコネクタ４Ａに設けられた電力線（Ｖ）６８とは接続されているため、アナログケーブル４のコネクタ４Ａに設けられた電力線（Ｖ）６８からは、デジタル入出力部１５から出力されＵＳＢケーブル３内の電力線（Ｖ）６０にかかる電力（電圧や電流）が出力される。
【００７８】
なお、本実施例においては、ＵＳＢケーブル３内の電力線（Ｖ）６０から分岐し、アナログケーブル４のコネクタ４Ａに至るまでの導線上に抵抗Ｒ８０（例えば、４７ｋΩ程度）を設けることにより、アナログケーブル４のコネクタ４Ａに設けられた電力線（Ｖ）６８に流れる電流を小さくしている。
【００７９】
このように構成された通信ケーブル６であれば、ＵＳＢケーブル３が（ＵＳＢ延長ケーブル５を介して）デジタル入出力部１５に接続されると、デジタル入出力部１５からＵＳＢケーブル３内の電力線（Ｖ）６０に５Ｖの電圧がかかり、当該電圧が、ＵＳＢケーブル３内の電力線（Ｖ）６０に接続されアナログケーブル４のコネクタ４Ａに設けられた電力線（Ｖ）６８にもかかることとなる。
【００８０】
そして、ナビゲーション装置１の制御部１０が、電力線（Ｖ）６８から電圧（５Ｖ）を検出したか否かを判定することで、ＵＳＢケーブル３のコネクタ３Ａがデジタル入出力部１５（ＵＳＢ延長ケーブル５）に接続され、且つ、アナログケーブル４のコネクタ４Ａがアナログ入力部１４に接続されているかを判定することができる。
【００８１】
すなわち、ＵＳＢケーブル３のコネクタ３Ａがデジタル入出力部１５（ＵＳＢ延長ケーブル５）に接続されていない、或いは、アナログケーブル４のコネクタ４Ａがアナログ入力部１４に接続されていなければ、アナログ入力部１４を介して電力線（Ｖ）６８から電圧（５Ｖ）が検出されることはない。
【００８２】
例えば、図７に示すように、他のデジタル通信を行うためのＵＳＢケーブル３’がデジタル入出力部１５（ＵＳＢ延長ケーブル５）に接続された場合であれば、ＵＳＢケーブル３内の電力線（Ｖ）６０に５Ｖの電圧がかかることがないため、ＵＳＢケーブル３内の電力線（Ｖ）６０に接続された電力線（Ｖ）６８にも電圧がかからず、例え、アナログケーブル４のコネクタ４Ａがアナログ入力部１４に接続されていても、制御部１０が、電力線（Ｖ）６８から電圧（５Ｖ）を検出することがない。そのため、制御部１０は、通信ケーブル６を構成するＵＳＢケーブル３のコネクタ３Ａがデジタル入出力部１５（ＵＳＢ延長ケーブル５）に接続されていない、あるいは、アナログケーブル４のコネクタ４Ａがアナログ入力部１４に接続されていないと判定することができる。
【００８３】
なお、図６では、説明の簡略化のため、ケーブル内で電力線（Ｖ）６０と電力線（Ｖ）６８が接続されている例示を行ったが、実際には、コネクタ６Ａの基板上で電力線（Ｖ）６０が接続された導電パターン（電力線（Ｖ）６０）から分岐した導電パターン（電力線（Ｖ）６８）が一度抵抗Ｒ８０を介し、この抵抗Ｒ８０を介した導電パターン（電力線（Ｖ）６８）に接続された電力線（Ｖ）６８が、アナログケーブルのコネクタ４Ａに設けられる。
【００８４】
なお、本実施例においては、通信ケーブル６内で抵抗Ｒ８０を介する場合を例示するが、これに限ることはなく、ナビゲーション装置１内で電力線（Ｖ）６８と抵抗Ｒ８０とを接続してもよい。
【００８５】
以上が本実施例における各装置と各ケーブルの詳細な説明である。上記説明したような通信ケーブル６（ＵＳＢケーブル３及びアナログケーブル４）を用いる場合、通信ケーブル６の接続状態に応じた処理が必要である。
【００８６】
通信ケーブル６が正常に接続されている場合であれば、すなわち、ＵＳＢケーブル３が（ＵＳＢ延長ケーブル５を介して）ナビゲーション装置１に接続され、また、アナログケーブル４のコネクタ４Ａがナビゲーション装置１に接続され、さらに、コネクタ６ＡがｉＰｏｄ（登録商標）２に接続されている場合であれば、ナビゲーション装置１が音楽データをＵＳＢケーブル３及びＵＳＢ延長ケーブル５を介してデジタル通信（ＵＳＢ通信）でｉＰｏｄ（登録商標）２から取得すること、及び、アナログケーブル４を介して、映像データ及び／又は音楽データをｉＰｏｄ（登録商標）２から取得することが可能である。このような場合にのみ、ナビゲーション装置１の制御部１０は、デジタル通信を用いて音楽データをデジタル出力するようにｉＰｏｄ（登録商標）２へ指示（操作信号を出力）し、また、映像データのみ、又は、映像データと当該映像データに対応付けられた音楽データとを、アナログ出力するようにｉＰｏｄ（登録商標）２へ指示（操作信号を出力）することが好ましい。そして、指示を受けた（操作信号を取得した）ｉＰｏｄ（登録商標）２は、受けた指示（取得した操作信号）に基づいて音楽データをデジタル出力する、又は、映像データや当該映像データに対応付けられた音楽データをアナログ出力する。
【００８７】
一方、図７に示すように、例えば、アナログケーブル４のコネクタ４Ａがナビゲーション装置１に接続され、コネクタ６ＡがｉＰｏｄ（登録商標）２に接続されているが、ＵＳＢケーブル３がナビゲーション装置１に接続されておらず、また、他のＵＳＢケーブル３’のコネクタ３’Ａがナビゲーション装置１（ＵＳＢ延長ケーブル５）に接続され、コネクタ３’Ｂが他のｉＰｏｄ（登録商標）２’に接続されている場合、他のＵＳＢケーブル３’を介してｉＰｏｄ（登録商標）２’へアナログ出力指示（操作信号出力）を行ってもナビゲーション装置１は、ｉＰｏｄ（登録商標）２’からアナログ出力された映像データ、又は、映像データと当該映像データに対応付けられた音楽データを受信することができない。
【００８８】
そのため、ナビゲーション装置１の制御部１０は、デジタル通信を用いて音楽データを出力するようにｉＰｏｄ（登録商標）２’へ指示（操作信号を出力）するが、映像データのみ、又は、映像データと当該映像データに対応付けられた音楽データとをアナログ出力するようにｉＰｏｄ（登録商標）２’へ指示（操作信号を出力）しないことが好ましい。そこで、例えば、アナログ出力が必要な映像データなどのリスト（映像プレイリスト）を表示部に表示しないようにすることで、ユーザがアナログ出力が必要な映像データなどの表示要求を入力部１３を介して行えないようにすることが好ましい。
【００８９】
このように通信ケーブル６の接続状態に応じた処理を行うことで、映像データの表示要求を入力部１３を介して行ったのに、映像が表示されない（映像データが受信できない）などといった誤動作を防止することが可能である。
【００９０】
次に、図３のフローチャートを用いて、ナビゲーション装置１の制御部１０が行う通信ケーブル６の接続状態を検出する制御動作の説明を行う。なお、以下、図３、図４及び図５を用いて説明を行うが、ＵＳＢケーブル３が（ＵＳＢ延長ケーブル５を介して）デジタル入出力部１５に接続され、且つ、アナログケーブル４のコネクタ４Ａがアナログ入力部１４に接続されている場合、すなわち、電力線（Ｖ）６８からの電圧（５Ｖ）を検出できる場合の例示として図１を例示し、また、ＵＳＢケーブル３が（ＵＳＢ延長ケーブル５を介して）デジタル入出力部１５に接続されていない、或いは、アナログケーブル４のコネクタ４Ａがアナログ入力部１４に接続されていない場合、すなわち、電力線（Ｖ）６８からの電圧（５Ｖ）を検出できない場合の例示として図７に示す場合を例示する。
【００９１】
まず、制御部１０は、ユーザがＵＳＢ通信機器（ｉＰｏｄ（登録商標）２（２’）を含む）をＵＳＢケーブル３（３’）及びＵＳＢ延長ケーブル５を介してデジタル入出力部１５へ接続したか否かを判定する（ＵＳＢケーブルが正常に接続されたか否かを判定する）（ステップＳ３０１）。判定方法は、従来知られている種々の方法を用いることが可能であり、例えば、ＵＳＢケーブル３（３’）が接続された際に、ＵＳＢ通信機器（ｉＰｏｄ（登録商標）２（２’）を含む）から出力される応答信号をデジタル入出力部１５を介して取得したか否かで判定する。
【００９２】
ＵＳＢ通信機器が接続されると（ステップＳ３０１のＹＥＳ）、制御部１０は、デジタル入出力部１５、ＵＳＢ延長ケーブル５及びＵＳＢケーブル３（３’）を介して、デジタル通信を行い、接続されたＵＳＢ通信機器から送信される識別情報に基づき、ＵＳＢ通信機器の種別を識別し、ＵＳＢ通信機器の種別がｉＰｏｄ（登録商標）２（２’）か否かを判定する（ステップＳ３０２）。
【００９３】
ＵＳＢ通信機器の種別がｉＰｏｄ（登録商標）２（２’）でない場合（ステップＳ３０２のＮＯ）、ＵＳＢ通信と判定し処理を終了する（ステップＳ３０４）。すなわち、ＵＳＢ通信機器の種別がｉＰｏｄ（登録商標）２（２’）でない場合、ＵＳＢ通信機器はデジタル通信（ＵＳＢ通信）のみを行う半導体メモリなどの記憶媒体やパソコン等である。
【００９４】
一方、ＵＳＢ通信機器の種別がｉＰｏｄ（登録商標）２（２’）である場合（ステップＳ３０２のＹＥＳ）、アナログケーブル４のコネクタ４Ａに設けられた電力線（Ｖ）６８からの電圧（５Ｖ）検出に基づき、ＵＳＢケーブル３が（ＵＳＢ延長ケーブル５を介して）デジタル入出力部１５に接続され、且つ、アナログケーブル４のコネクタ４Ａがアナログ入力部１４に接続されているかを判定する。（ステップＳ３０３）。
【００９５】
上記説明した通り、ＵＳＢケーブル３が（ＵＳＢ延長ケーブル５を介して）ナビゲーション装置１に接続され、また、アナログケーブル４のコネクタ４Ａがナビゲーション装置１に接続されている場合にのみ、電力線（Ｖ）６８からの電圧（５Ｖ）が検出される。
【００９６】
ＵＳＢケーブル３が（ＵＳＢ延長ケーブル５を介して）デジタル入出力部１５に接続され、且つ、アナログケーブル４のコネクタ４Ａがアナログ入力部１４に接続されている場合、すなわち、電力線（Ｖ）６８からの電圧（５Ｖ）を検出した場合（ステップＳ３０３のＹＥＳ）、ｉＰｏｄ（登録商標）２のＵＳＢ通信及びアナログ通信が可能な状態と判定し処理を終了する（ステップＳ３０５）。
【００９７】
一方、ＵＳＢケーブル３が（ＵＳＢ延長ケーブル５を介して）デジタル入出力部１５に接続されていない、或いは、アナログケーブル４のコネクタ４Ａがアナログ入力部１４に接続されていない場合、すなわち、電力線（Ｖ）６８からの電圧（５Ｖ）を検出していない場合（ステップＳ３０３のＮＯ）、図７に示すように、他のＵＳＢケーブル３’を介してｉＰｏｄ（登録商標）２’が接続されている状態であるため、ｉＰｏｄ（登録商標）２’のＵＳＢ通信が可能な状態と判定し処理を終了する（ステップＳ３０６）。すなわち、ステップＳ３０６では、デジタル通信（ＵＳＢ通信）を用いてｉＰｏｄ（登録商標）２’から音楽データは取得できるが、アナログ通信を用いて映像データを取得できない接続状態と判定する。
【００９８】
次に、図４のフローチャート及び図５の模式図を参照して、ナビゲーション装置１の制御部１０が行う通信ケーブル６の接続状態に応じた制御動作の説明を行う。
【００９９】
まず、制御部１０は、図３のフローチャートにおいて判定したＵＳＢ通信（ｉＰｏｄ（登録商標）２のＵＳＢ通信＋アナログ通信、ｉＰｏｄ（登録商標）２’のＵＳＢ通信を含む）か否かを判定する（ステップＳ４０１）。
【０１００】
ＵＳＢ通信でない場合（ステップＳ４０１のＮＯ）、すなわち、ＵＳＢ通信機器が接続されていない場合、表示部１２に表示されるメニュー画面のアイコンのうち「ＵＳＢ」アイコンと「ｉＰｏｄ（登録商標）」アイコンをグレーアウト表示させる（ステップＳ４０２）。
【０１０１】
図５の（Ａ）、（Ｂ）、（Ｃ）は表示部１２に表示されるメニュー画面の一例であり、図５（Ａ）は、ステップＳ４０２において、「ＵＳＢ」アイコンと「ｉＰｏｄ（登録商標）」アイコンをグレーアウト表示させたメニュー画面の一例である。
【０１０２】
なお、グレーアウト表示させたアイコン（ソフトキー）は、視認性の変化だけでなく、当該グレーアウト表示させたアイコンをユーザが入力部１３を介して選択しても、制御部１０は当該グレーアウト表示させたアイコンに対応付けられた制御（例えば、表示画面遷移等）を行わない。なお、以下の説明では、グレーアウト表示を解除した表示、すなわち、アイコンをユーザが入力部１３を介して選択すれば、当該アイコンに応じた制御を行うことを示す表示を、単に「アイコンを表示する」として説明を行う。
【０１０３】
一方、ＵＳＢ通信である場合（ステップＳ４０１のＹＥＳ）、すなわち、ＵＳＢ通信機器が接続されている場合、制御部１０は、ｉＰｏｄ（登録商標）２（２’）のＵＳＢ通信（ｉＰｏｄ（登録商標）２のＵＳＢ通信＋アナログ通信を含む）か否かを判定する（ステップＳ４０３）。
【０１０４】
ｉＰｏｄ（登録商標）２（２’）のＵＳＢ通信でない場合（ステップＳ４０３のＮＯ）、すなわち、デジタル入出力部１５にＵＳＢケーブル等を介してｉＰｏｄ（登録商標）２（２’）でないＵＳＢ通信機器が接続されている場合、「ＵＳＢ」アイコンを表示し、「ｉＰｏｄ（登録商標）」アイコンをグレーアウト表示させる（ステップＳ４０４）（図５（Ｂ）参照）。
【０１０５】
すなわち、「ＵＳＢ」アイコンを入力部１３を介して選択可能とし、入力部１３を介して「ＵＳＢ」アイコンを選択すると、制御部１０は、「ＵＳＢ」アイコンに応じた制御（例えば、ＵＳＢ通信機器がＵＳＢメモリであればＵＳＢメモリに記憶された音楽データのリスト表示など）を行う。
【０１０６】
一方、ｉＰｏｄ（登録商標）２（２’）のＵＳＢ通信である場合（ステップＳ４０３のＹＥＳ）、すなわち、デジタル入出力部１５にＵＳＢケーブル等を介してｉＰｏｄ（登録商標）２（２’）が接続されている場合、制御部１０は、ｉＰｏｄ（登録商標）２のＵＳＢ通信＋アナログ通信か否かを判定する（ステップＳ４０５）。
【０１０７】
ｉＰｏｄ（登録商標）２のＵＳＢ通信＋アナログ通信でない場合（ステップＳ４０５のＮＯ）、すなわち、図７に示すようにＵＳＢケーブル３’ （アナログケーブル４が一体となっていないＵＳＢケーブル３’）等を用いてナビゲーション装置１にｉＰｏｄ（登録商標）２’が接続されており、ｉＰｏｄ（登録商標）２’からアナログ出力される映像データなどを取得することができない場合、「ＵＳＢ」アイコンをグレーアウト表示し、「ｉＰｏｄ（登録商標）」アイコンを表示させる（ステップＳ４０６）（図５（Ｃ）参照）。
【０１０８】
すなわち、「ｉＰｏｄ（登録商標）」アイコンを入力部１３を介して選択可能とし、入力部１３を介して「ｉＰｏｄ（登録商標）」アイコンを選択すると、制御部１０は、「ｉＰｏｄ（登録商標）」アイコンに応じた制御（例えば、ｉＰｏｄ（登録商標）２の映像／音楽データ記憶部２６記憶された音楽データのリスト（音楽プレイリスト）表示など）を行う。
【０１０９】
また、制御部１０は、音楽プレイリストを表示部１２に表示しているときに、ユーザが入力部１３を介して所定の操作（例えば、オプションボタンを選択）をすることで表示させるオプション画面（図５の（Ｄ）、（Ｅ））のうち、「ミュージック」アイコンを表示させ、「ビデオ」アイコンをグレーアウト表示させる（図５（Ｄ）参照）。
【０１１０】
「ミュージック」アイコンは、音楽プレイリストを表示させるためのアイコンであり、「ビデオ」アイコンは、映像プレイリストを表示させるためのアイコンである。なお、この音楽プレイリスト及び／又は映像プレイリストは、ＵＳＢケーブル３（３’）を介してデジタル通信（ＵＳＢ通信）を行いナビゲーション装置１の制御部１０が取得する。
【０１１１】
なお、本実施例では、「ｉＰｏｄ（登録商標）」アイコンに応じた制御として、音楽プレイリストの表示を例示するが、これに限ることはなく、入力部１３を介してオプション画面に表示された「ミュージック」アイコン及び「ビデオ」アイコンのうち、最後に選択されたアイコンを記憶（ＲＡＭ等）しておき、最後に選択されたアイコンに基づき「ｉＰｏｄ（登録商標）」アイコンに応じた制御を行ってもよい。例えば、最後に「ビデオ」アイコンを選択された後に、「ｉＰｏｄ（登録商標）」アイコンを選択された場合に表示部１２に映像プレイリストを表示してもよい。
【０１１２】
また、ｉＰｏｄ（登録商標）２のＵＳＢ通信＋アナログ通信でない場合（ステップＳ４０５のＮＯ）には、その他にも、通信ケーブル６（アナログケーブル４が一体となっているＵＳＢケーブル３）を用いているが、アナログケーブル４が正常に接続されていない場合なども含まれる。
【０１１３】
ここで、ユーザが入力部１３を介して、表示された音楽プレイリストの中から、１以上の音楽データを選択すると、制御部１０は、デジタル入出力部１５、ＵＳＢ延長ケーブル５、ＵＳＢケーブル３’及びデジタル入出力部２５’ （ｉＰｏｄ（登録商標）２’のデジタル入出力部、以下同様）を介して、制御部２０’へ、当該選択された音楽データをデジタル出力するように指示（操作信号の出力）を行う。
【０１１４】
指示（操作信号）を受けた制御部２０’は、指示（操作信号）に基づき映像／音楽データ記憶部２６’から該当する音楽データを読み出し、読み出した音楽データをデジタル入出力部２５’から出力する。
【０１１５】
デジタル入出力部２５’から出力された音楽データ（デジタル）は、ＵＳＢケーブル３’及びＵＳＢ延長ケーブル５を介してデジタル入出力部１５に入力される。デジタル入出力部１５に入力された音楽データは、制御部１０にてアナログ変換されて音声出力部１１へ供給され音声出力部１１から音声出力される。
【０１１６】
一方、ｉＰｏｄ（登録商標）２のＵＳＢ通信＋アナログ通信である場合、（ステップＳ４０５のＹＥＳ）、すなわち、図１に示すように通信ケーブル６（ＵＳＢケーブル３及びアナログケーブル４）が正常に接続されており、ｉＰｏｄ（登録商標）２からアナログ出力される映像データなどを取得することができる状態の場合、「ＵＳＢ」アイコンをグレーアウト表示し、「ｉＰｏｄ（登録商標）」アイコンを表示させる（ステップＳ４０７）（図５（Ｃ）参照）。
【０１１７】
また、上記のオプション画面において、「ミュージック」アイコンと「ビデオ」アイコンを表示させる（図５（Ｅ）参照）。
【０１１８】
ユーザが入力部１３を介して「ビデオ」アイコンを選択すると、制御部１０は、映像プレイリストを表示部１２に表示させ、さらにユーザが入力部１３を介して、表示された映像プレイリストの中から、１以上のデータ（例えば映像データ）を選択することで、制御部１０は、デジタル入出力部１５、ＵＳＢ延長ケーブル５、ＵＳＢケーブル３及びデジタル入出力部２５を介して、制御部２０へ、当該選択された映像データをアナログ出力するように指示（操作信号の出力）を行う。
【０１１９】
指示（操作信号）を受けた制御部２０は、指示（操作信号）に基づき映像／音楽データ記憶部２６から該当する映像データを読み出し、読み出した映像データをアナログ変換し、アナログ出力部２４から出力する。
【０１２０】
アナログ出力部２４から出力された映像データ（アナログ）は、アナログケーブル４を介してアナログ入力部１４に入力される。アナログ入力部１４に入力された映像データ（アナログ）は、表示部１２に供給され表示部１２に映像データに基づく映像が表示される。
【０１２１】
なお、映像データに音楽データが対応付けられている場合も同様に、ｉＰｏｄ（登録商標）２から映像データと当該映像データに対応付けられている音楽データとがアナログ出力され、表示部１２に当該映像データに基づく映像が表示され、音声出力部１１から当該映像データに対応付けられている音楽データに基づく音声出力がなされる。
【０１２２】
以上説明した通り、本発明のケーブル（通信ケーブル６）は、電子機器（ナビゲーション装置１）に接続される第１コネクタ（延長ケーブル５を用いない場合であれば３Ａ）を一端に有する第１ケーブル（ＵＳＢケーブル３）と、第１コネクタが接続される電子機器に接続される第２コネクタ（４Ａ）を一端に有する第２ケーブル（アナログケーブル４）と、第１ケーブルに含まれる第１導線（電力線（Ｖ）６０）と、該第１導線に一端が接続され、他端が前記第２コネクタに設けられた第２導線（電力線（Ｖ）６８）と、を有する。そのため、例えば、該第１導線にかかる電圧が該第２導線にかかることになり、そのため、該第２導線に電圧がかかっているかを判定することで、第１のケーブルが電子機器（ナビゲーション装置１）に接続され、且つ、第２のケーブルが該電子機器（ナビゲーション装置１）に接続されているかを判定することができる。
【０１２３】
また、この判定結果に応じた処理を電子機器（ナビゲーション装置１）が行うことで、アナログ通信を行えない状態で（例えば、図７に示すような状態で）、アナログ出力指示を外部機器（ｉＰｏｄ（登録商標）２’）に行ってしまうなどの誤動作を防止することができる。
［他の実施例、変形例］
本願発明は、上記実施例以外にも種々の変更が可能である。例えば、上記実施例において、「ｉＰｏｄ（登録商標）」アイコンに応じた制御として、音楽プレイリストの表示、又は、最後に選択されたアイコン（「ミュージックアイコン」又は「ビデオ」アイコン）に基づくプレイリスト（音楽又は映像プレイリスト）の表示を行う場合を例示したが、これに限ることはなく、入力部１３を介して「ｉＰｏｄ（登録商標）」アイコンが選択された場合に、ＵＳＢケーブル３が（ＵＳＢ延長ケーブル５を介して）デジタル入出力部１５に接続され、且つ、アナログケーブル４のコネクタ４Ａがアナログ入力部１４に接続されているか否か、すなわち、電力線（Ｖ）６８からの電圧（５Ｖ）を検出したか否かに基づいて、表示するプレイリスト（音楽又は映像プレイリスト）を選択してもよい。
【０１２４】
すなわち、上記の通り、ＵＳＢケーブル３（３’）を用いてナビゲーション装置１に接続されたＵＳＢ通信機器がｉＰｏｄ（登録商標）２（２’）であれば、「ｉＰｏｄ（登録商標）」アイコンが表示され、入力部１３を介して、「ｉＰｏｄ（登録商標）」アイコンが選択可能となる。この場合において、電力線（Ｖ）６８からの電圧（５Ｖ）が検出されていなければ、アナログケーブル４を介して映像データなどを取得することができない。例えば、ＵＳＢケーブル３’ （アナログケーブル４が一体となっていないＵＳＢケーブル３’）等を用いてナビゲーション装置１にｉＰｏｄ（登録商標）２’が接続されている、或いは、通信ケーブル６（アナログケーブル４が一体となっているＵＳＢケーブル３）を用いているが、アナログケーブル４が正常に接続されていない（接触不良や、アナログケーブルのコネクタ４Ａがアナログ入力部１４に接続されていない）場合などである。そのため、電力線（Ｖ）６８からの電圧（５Ｖ）が検出されていなければ、例え最後に選択されたアイコンが「ビデオ」アイコンであっても、音楽プレイリストの表示を行うことが好ましい。
【０１２５】
一方、電力線（Ｖ）６８からの電圧（５Ｖ）が検出されていれば、アナログケーブル４を介して映像データなどを取得することができるので、映像プレイリストの表示を行うことが好ましい。ただし、電力線（Ｖ）６８からの電圧（５Ｖ）が検出されている場合は、音楽プレイリストを表示してもよいため、最後に選択されたアイコン（「ミュージックアイコン」又は「ビデオ」アイコン）に基づくプレイリスト（音楽又は映像プレイリスト）の表示を行ってもよい。
【０１２６】
そのほかにも、上記実施例では、「ビデオ」アイコンは、映像プレイリストを表示させるためのアイコンと説明したが、映像プレイリストに加えて、音楽プレイリストを表示させてもよい。この場合、上記特許文献１のように１以上の映像データを含むデータの再生指示が入力部１３を介してなされると、制御部１０は、ｉＰｏｄ（登録商標）２にアナログ出力を指示（アナログ出力を示す操作信号を出力）し、映像データを含まないデータの再生指示が入力部１３を介してなされると、制御部１０は、ｉＰｏｄ（登録商標）２にデジタル出力を指示（デジタル出力を示す操作信号を出力）してもよい。また、映像データが含まれるか否かにかかわらずアナログ出力を指示（アナログ出力を示す操作信号を出力）してもよい。
【０１２７】
さらに上記実施例では、ｉＰｏｄ（登録商標）２を例示したため、デジタル通信を行うためのＵＳＢケーブル３を介してｉＰｏｄ（登録商標）２へ指示（操作信号を出力）し、ｉＰｏｄ（登録商標）２が指示に応じたデータ（映像データなど）をアナログ通信を行うためのアナログケーブル４を介して出力する場合を記載したが、例えば、２つのデジタル通信を行うためのＵＳＢケーブルを、２つともナビゲーション装置１などの電子機器とｉＰｏｄ（登録商標）２などの外部機器とに接続し、ナビゲーション装置１などの電子機器が、一方のＵＳＢケーブルを介してｉＰｏｄ（登録商標）２などの外部機器へ指示（操作信号を出力）し、外部機器から他方のＵＳＢケーブルを介して出力されるデータ（指示に応じたデータ）を取得する場合にも本発明は適用可能である。
【０１２８】
この場合も同様に、一方のＵＳＢケーブルに含まれる電力線（Ｖ）（ナビゲーション装置１から電圧がかかる電力線）に接続されて、もう一方のＵＳＢケーブルのコネクタ（ナビゲーション装置１側のコネクタ）に設けられる電力線を備える構成とすることで適用可能である。
【０１２９】
さらに、上記実施例では、通信ケーブル６は、ｉＰｏｄ（登録商標）２側では、ＵＳＢケーブル３とアナログケーブル４とが一体となったコネクタ６Ａで構成された場合を例示したので、ＵＳＢケーブル３を用いてｉＰｏｄ（登録商標）２が接続された場合（ｉＰｏｄ（登録商標）２から応答信号を取得した場合）、必然的にアナログケーブル４もｉＰｏｄ（登録商標）２に接続されているため、電力線（Ｖ）６８からの電圧（５Ｖ）を検出したか否かのみを判定したが、例えば、図８に示すように、ｉＰｏｄ（登録商標）２側で、ＵＳＢケーブル３のコネクタ３Ｂとアナログケーブル４のコネクタ４Ｂが別々のコネクタで構成されている場合であれば、上記先願と同様にアナログケーブル４内に短絡線（Ａ）６９を設けることが好ましい。
【０１３０】
この短絡線（Ａ）６９は、ｉＰｏｄ（登録商標）２のＧＮＤ端子に対応しており、アナログケーブル４のコネクタ４ＢがｉＰｏｄ（登録商標）２に接続されると短絡するため、制御部１０は、この短絡線（Ａ）６９が短絡しているか否かを判定することで、アナログケーブル４がナビゲーション装置１及びｉＰｏｄ（登録商標）２に接続されているか否かを判定することができる。
【０１３１】
すなわち、図８に示すように、ｉＰｏｄ（登録商標）２側で、ＵＳＢケーブル３のコネクタ３Ｂとアナログケーブル４のコネクタ４Ｂが別々のコネクタで構成されている場合であれば、電力線（Ｖ）６８からの電圧（５Ｖ）を検出したか否かを判定することに加え、短絡線（Ａ）６９が短絡しているか否かを判定することが好ましく、電力線（Ｖ）６８からの電圧（５Ｖ）を検出し、短絡線（Ａ）６９が短絡していると判定した場合に、アナログケーブル４を介して映像データなどを取得できる状態であると判定することが好ましい。
【０１３２】
さらに、上記実施例では、ＵＳＢケーブル３に含まれる電力線（Ｖ）６０に接続された電力線（Ｖ）６８がアナログケーブル４のコネクタ４Ａに設けられる場合を例示したが、これに限ることはない。
【０１３３】
例えば、図９に示すように、通信線（Ｄ＋）６１に接続され、アナログケーブル４のコネクタ４Ａに設けられる通信線（Ｄ）７０としてもよく、この場合、制御部１０は、電力線（Ｖ）６８からの電圧（５Ｖ）を検出したか否かを判定することに変えて、通信線（Ｄ）７０から信号（通信線（Ｄ＋）６１へ出力した信号）を取得したか否かで判定してもよい。
【０１３４】
また、図１０のように、ＵＳＢケーブル３内に信号（どのような信号でもよい）を伝送するための信号線（Ｘ）７１がある場合であれば、信号線（Ｘ）７１に接続され、アナログケーブル４のコネクタ４Ａに設けられる信号線（Ｘ）７２としてもよく、この場合も、制御部１０は、電力線（Ｖ）６８からの電圧（５Ｖ）を検出したか否かを判定することに変えて、信号線（Ｘ）７２から信号（信号線（Ｘ）７１へ出力した信号）を取得したか否かで判定してもよい。
【０１３５】
なお、アナログケーブル４内のＧＮＤ線６７（ナビゲーション装置１内及び／又はｉＰｏｄ（登録商標）２内にて短絡するＧＮＤ線）は、例えば、一端がナビゲーション装置１内で短絡するＧＮＤ端子に接続されるようにナビゲーション装置１側のコネクタに設けられ、もう一端は、ｉＰｏｄ（登録商標）２内で短絡するＧＮＤ端子に接続されるように、ｉＰｏｄ（登録商標）２側のコネクタに設けられるが、これに限ることはなく、このＧＮＤ線６７は、ｉＰｏｄ（登録商標）２内で短絡するＧＮＤ端子に直接接続されなくとも、例えば、通信ケーブル６のｉＰｏｄ（登録商標）２側のコネクタ内の基板上などでＵＳＢケーブル３内のＧＮＤ線６３に接続され、ＵＳＢケーブル３内のＧＮＤ線６３を介してｉＰｏｄ（登録商標）２内で短絡するＧＮＤ端子に接続されてもよく、このような場合においては、アナログケーブル４とは、上記のアナログ音声信号線（音Ｌ、音Ｒ）６４、６５、アナログ映像信号線（ｖｉｄｅｏ）６６、及び、ＧＮＤ線６７に加え、ＧＮＤ線６７が接続されるＵＳＢケーブル３内のＧＮＤ線６３を含んでも良い。すなわち、このような場合では、ＵＳＢケーブル３内のＧＮＤ線６３は、ＵＳＢケーブル３、且つ、アナログケーブル４の両方に含まれるとしてもよい。
【０１３６】
また、ＵＳＢケーブル３及びアナログケーブル４（すなわち、通信ケーブル６）が正常に接続され、映像プレイリストのうち、音楽データが対応付けられている映像データ（例えば、ミュージッククリップや動画など）がユーザにより選択された場合、上記実施例では、選択された映像データと当該映像データに対応付けられた音楽データが共にアナログ出力される場合を例示したが、これに限ることはなく、制御部１０は、選択された映像データをアナログ出力するようにｉＰｏｄ（登録商標）２に指示（操作信号を出力）し、また、当該映像データに対応付けられた音楽データをデジタル出力するようにｉＰｏｄ（登録商標）２に指示（操作信号を出力）してもよく、この場合、アナログ入力部１４に入力された映像データ（アナログ）は、表示部１２に供給され表示部１２に映像データに基づく映像が表示され、デジタル入出力部１５に入力された音楽データは、制御部１０にてアナログ変換されて音声出力部１１へ供給され音声出力部１１から音声出力される。
【０１３７】
さらに、上記実施例において、ＵＳＢ通信でない場合（ステップＳ４０１のＮＯ）、すなわち、ＵＳＢ通信機器が接続されていない場合、及び、ｉＰｏｄ（登録商標）のＵＳＢ通信である場合（ステップＳ４０３のＹＥＳ）、すなわち、ＵＳＢケーブル３を用いてナビゲーション装置１とｉＰｏｄ（登録商標）２（２’）が接続されている場合に、表示部１２に表示されるメニュー画面のアイコンのうち「ＵＳＢ」アイコンをグレーアウト表示させることを例示したが、これに限ることはなく、「ＵＳＢ」アイコンをグレーアウト表示させずに、当該「ＵＳＢ」アイコンが入力部１３を介して選択された場合にＵＳＢ通信機器（ｉＰｏｄ（登録商標）２（２’）を含む）の接続状況を表示させるなどして報知させてもよい。
【０１３８】
すなわち、ＵＳＢ通信機器が接続されているか否か、ＵＳＢケーブル３を用いてｉＰｏｄ（登録商標）２（２’）が接続されているか否かに関係なく、「ＵＳＢ」アイコンを表示させ、当該「ＵＳＢ」アイコンが入力部１３を介して選択された場合に、ＵＳＢ通信機器が接続されていなければ、例えば「ＵＳＢ通信機器が接続されていません。」などのメッセージの表示や音声出力を表示部１２や音声出力部１１を介して行ってもよく、また、当該「ＵＳＢ」アイコンが入力部２３を介して選択された場合に、ＵＳＢケーブル３を用いてｉＰｏｄ（登録商標）２（２’）が接続されていれば、例えば、「ｉＰｏｄが接続されているため、ｉＰｏｄのアイコンを選択してください。」などのメッセージの表示や音声出力を表示部１２や音声出力部１１を介して行ってもよい。
【０１３９】
なお、上記実施例で説明したように、ＵＳＢケーブル３のコネクタ３Ａが直接ナビゲーション装置１に接続されるのではなく、ＵＳＢ延長ケーブル５を介して接続されるような場合（コネクタ３ＡがＵＳＢ延長ケーブル５の一端に接続され、ＵＳＢ延長ケーブル５の他端がナビゲーション装置１に接続される場合）が考えられる、同様に、アナログケーブル４のコネクタ４Ａが直接ナビゲーション装置１に接続されるのではなく、延長ケーブル（不図示）を介してナビゲーション装置１に接続される場合が考えられるが、このように延長ケーブルを用いる場合であれば、これらの延長ケーブルも含めて本発明のケーブルとする、或いは、これらの延長ケーブルを含めて電子機器（ナビゲーション装置１）とすることが好ましい。
【０１４０】
すなわち、これらの延長ケーブルも含めて本発明のケーブルとする場合であれば、本発明の第１コネクタとは、例えば、図１におけるＵＳＢ延長ケーブル５のコネクタ（ナビゲーション装置１に接続されるコネクタ）であることが好ましい。すなわち、この場合の第１ケーブルとは、図１におけるＵＳＢケーブル３のコネクタ３ＡがＵＳＢ延長ケーブルに接続された状態のＵＳＢケーブル３及びＵＳＢ延長ケーブル５であることが好ましい。
【０１４１】
また、これらの延長ケーブルを含めて電子機器（ナビゲーション装置１）とする場合であれば、本発明の第１コネクタとは、ＵＳＢケーブル３のコネクタ３Ａであり、第１コネクタが接続される電子機器とは、ナビゲーション装置１及びナビゲーション装置１に接続されたＵＳＢ延長ケーブル５であることが好ましい。すなわち、ナビゲーション装置１に接続されたＵＳＢ延長ケーブル５のコネクタ（ナビゲーション装置１に接続されたコネクタとは別のコネクタ）に、ＵＳＢケーブル３のコネクタ３Ａを接続することにより、電子機器（ＵＳＢ延長ケーブル５のコネクタ）に第１コネクタ（コネクタ３Ａ）が接続された状態となる。これは、アナログケーブル４において延長ケーブルを用いる場合も同様である。
【符号の説明】
【０１４２】
１    ・・・ナビゲーション装置
２    ・・・ｉＰｏｄ（登録商標）
２’  ・・・ｉＰｏｄ（登録商標）
３    ・・・ＵＳＢケーブル
３’  ・・・ＵＳＢケーブル
４    ・・・アナログケーブル
５    ・・・ＵＳＢ延長ケーブル
６    ・・・通信ケーブル
１０  ・・・制御部
１１  ・・・音声出力部
１２  ・・・表示部
１３  ・・・入力部
１４  ・・・アナログ入力部
１５  ・・・デジタル入出力部
２０  ・・・制御部
２１  ・・・音声出力部
２２  ・・・表示部
２３  ・・・入力部
２４  ・・・アナログ入力部
２５  ・・・デジタル入出力部
２６  ・・・映像／音楽データ記憶部
【図１】
2012138274.tif 000003
【図２】
2012138274.tif 000004
【図３】
2012138274.tif 000005
【図４】
2012138274.tif 000006
【図５】
2012138274.tif 000007
【図６】
2012138274.tif 000008
【図７】
2012138274.tif 000009
【図８】
2012138274.tif 000010
【図９】
2012138274.tif 000011
【図１０】
2012138274.tif 000012